(57)【要約】【課題】  より簡易な構成とすることにより部品点数を大幅に削減し、しかもアコースティックピアノと同等の打鍵感覚を得ることのできる、打鍵練習具や電子鍵盤楽器などに使用可能な鍵盤構造を提供すること。【解決手段】  鍵盤楽器の打鍵練習具や電子ピアノ、キーボードに使用できる鍵盤構造であって、ベース部材に、基端部を軸支して先端側を揺動自在とした鍵盤を複数設けると共に、付勢手段によって各鍵盤の先端側は上向きに付勢する鍵盤構造であって、望ましくは当該付勢手段は、各鍵盤とベース部材との間であって、且つ軸支した部位よりも前方に、当該鍵盤を上向きに付勢するトーションバネを使用し、鍵盤の下面には、傾斜面を設け、当該トーションバネの一方のアームは、前記ベース部材に固定されると共に、他方のアームは前記傾斜面を滑動自在に設けた鍵盤構造とする。【選択図】図２
2014235349.tif 000002
【特許請求の範囲】
【請求項１】
鍵盤楽器の打鍵練習具や電子ピアノ、キーボードに使用できる鍵盤構造であって、
ベース部材に、基端部を軸支して先端側を揺動自在とした鍵盤を複数設けると共に、付勢手段によって各鍵盤の先端側は上向きに付勢されていることを特徴とする、鍵盤構造。
【請求項２】
前記付勢手段は、各鍵盤とベース部材との間であって、且つ軸支した部位よりも前方に、当該鍵盤を上向きに付勢するトーションバネが使用されており、
前記鍵盤の下面には、傾斜面が設けられており、
当該トーションバネの一方のアームは、前記ベース部材に固定されると共に、他方のアームは前記傾斜面を滑動自在に設けられている、請求項１に記載の鍵盤構造。
【請求項３】
前記傾斜面には、前記トーションバネのアームを案内する溝が形成されており、
前記トーションバネのコイル部分は前記ベース部材に軸支されており、
前記鍵盤の下面の前方側には、鍵盤の長さ方向に長尺なガイド穴が形成されると共に、前記ベース部材には各鍵盤のガイド穴に内挿されるガイド軸が立設されている、請求項２に記載の鍵盤構造。
【請求項４】
前記傾斜面は、傾斜角度が異なる２つ以上の傾斜部によって形成されている、請求項２又は３に記載の鍵盤構造。
【請求項５】
前記鍵盤の下面に設けられた傾斜面は、下方よりも上方の傾斜角度が大きく形成されており、当該傾斜面の上方の傾斜角度は、鍵盤の上面に対して４０〜５０°である、請求項４に記載の鍵盤構造。
【請求項６】
前記ベース部材上には、押下された鍵盤の下面を支持する緩衝部材が設けられている、請求項１〜５の何れか一項に記載の鍵盤構造。
【請求項７】
更に、前記鍵盤の上方への回動を規制して当該鍵盤の揺動幅を規制する揺動幅規制部材を具備する、請求項１〜６の何れか一項に記載の鍵盤構造。
【請求項８】
鍵盤を備え、鍵盤楽器の打鍵練習具に使用される鍵盤楽器の打鍵練習具であって、
鍵盤が、請求項１〜７の何れか一項に記載の鍵盤構造で形成されていることを特徴としている鍵盤楽器の打鍵練習具。
【請求項９】
鍵盤を備えると共に、電気又は電子の作用により音を発する電子鍵盤楽器であって、
鍵盤が、請求項１〜７の何れか一項に記載の鍵盤構造で形成されていることを特徴としている電子鍵盤楽器。
【発明の詳細な説明】
【技術分野】
【０００１】
本発明はピアノ等の鍵盤楽器の練習に使用することのできる打鍵練習具、又は電子鍵盤楽器に使用することのできる鍵盤構造であって、特に打鍵時の感覚を、アコースティックピアノと同等にするができ、更に実際に使用しているピアノに応じて打鍵時の感覚を任意に調整することのできる鍵盤構造に関する。
【背景技術】
【０００２】
これまでにも、打弦音を発生することなく演奏の練習をすることのできるピアノは、種々提案されている。
【０００３】
例えば、特許文献１（特開昭６３−２１６０９９号公報）には、押鍵による動作がハンマに伝達されないようにして打弦音の発生を防止すると共に、鍵の動作に応じて電子音源を駆動することができるピアノが記載されている。これによれば、打弦音を止めて電子音源からの演奏音をヘッドホンなどで聴きながら演奏することができ、外部に演奏音が漏れず、集号住宅や住宅密集地域での演奏、あるいは夜間の演奏練習などが自由にできるとしている。
【０００４】
しかしながら、この技術によれば、打弦音を出した場合と止めた場合とでは、押鍵時のタッチ感が異なるものであった。すなわち、ハンマが回動した位置に保持されているため、打弦音を出す場合に比べて、ハンマを回動させなくてもよい分だけタッチ感が軽くなっていた。
【０００５】
そこで、特許文献２（特開平７−２８１６６１号公報）では、打弦音の発生を確実に防止すると共に、通常の演奏時とほぼ同様のタッチ感を確実に得ることを目的として、鍵盤およびハンマを含むグランドピアノの打弦機構を載置可能な載置台と、該載置台に載置された打弦機構のハンマの運動を該ハンマの打弦位置で阻止する阻止手段とを備えたグランドピアノ練習台を提案している。
【０００６】
かかるグランドピアノ練習台においては、打弦機構のハンマの打弦位置には代用弦が設けられ、ハンマの運動をその打弦位置で阻止することから、載置台に載置された打弦機構の鍵を打鍵すると、通常の演奏時とほぼ同様のタッチ感を確実に得ることができ、また打弦機構はグランドピアノ本体から取り外されているので、打弦音の発生も確実に防止することができるものとなっていた。
【０００７】
また、従前においては電子ピアノにおいて、グランドピアノ特有のタッチ感や連打性を再現する技術も種々提案されている。例えば特許文献３（特開２００３−９１２７４号公報）では、グランドピアノと同様なアクション機構と、そのハンマーシャンクの回動動作を阻止するハンマーストッパーとを備えた電子ピアノの鍵盤装置が提案されており、このアクション機構は、ハンマーシャンクの他に、ウイッペン、バックチェック等を備え、これらの位置関係は実際のグランドピアノにおける位置関係とほぼ同じにし、ハンマーストッパーは、ハンマーシャンクが略水平に回動した時にその動作を阻止する位置に配設している。そして、かかる構成により、この電子ピアノの鍵盤装置は、グランドピアノ特有の複雑なアクションの動きを模擬することができ、実際のグランドピアノに極めて近いタッチ感、連打性を得ることができるものとしている。
【先行技術文献】
【特許文献】
【０００８】
【特許文献１】特開昭６３−２１６０９９号公報
【特許文献２】特開平７−２８１６６１号公報
【特許文献３】特開２００３−９１２７４号公報
【発明の概要】
【発明が解決しようとする課題】
【０００９】
上記のとおり、従前においても打弦音を発生することなく演奏の練習をすることのできる鍵盤楽器の練習器具（ピアノやグランドピアノ練習台）は種々提案されている。また、電子ピアノでありながらもアコースティックピアノ（グランドピアノおよびアコースティックピアノを含む）と同様のタッチ感（打鍵時の感覚）を得ることのできる鍵盤も種々提案されている。
【００１０】
しかしながら、従前において提案されているこれらの器具やピアノは、何れも実際のアコースティックピアノと同等の打弦機構を備えており、その結果、自ずと構成部品が多くなり、また製造工程が増加し、そして製造コストの上昇を招来するものとなっていた。
【００１１】
そこで本発明では、より簡易な構成とすることにより部品点数を大幅に削減し、しかもアコースティックピアノと同等の打鍵感覚を得ることのできる、打鍵練習具などに使用可能な鍵盤構造を提供することを第一の課題とする。
【００１２】
また、打鍵時のタッチ感は、使用するピアノのメーカーごと、或いは製品や製造年式ごと、更には使用頻度やメンテナンス状況などにより変わってくることもある。そして打鍵練習具を使用して演奏の練習をする際には、当該練習に使用する打鍵練習具のタッチ感などは、実際に使用するピアノのタッチ感と同じように調整されている事が望ましい。
【００１３】
そこで本発明では、打鍵時におけるタッチ感を任意に調整する事ができ、望ましくは当該打鍵時におけるタッチ感を簡易な方法で行う事のできる、打鍵練習具などに使用可能な鍵盤構造を提供することを第二の課題とする。
【課題を解決するための手段】
【００１４】
上記課題の少なくとも何れかを解決するべく、本発明では弾性部材を使用して鍵盤のタッチ感を調整した鍵盤構造を提供する。
【００１５】
即ち、本発明では、前記課題の少なくとも何れかを解決するべく、鍵盤楽器の打鍵練習具や電子ピアノ、キーボードに使用できる鍵盤構造であって、ベース部材に、基端部を軸支して先端側を揺動自在とした鍵盤を複数設けると共に、付勢手段によって各鍵盤の先端側を上向きに付勢していることを特徴とする、鍵盤構造を提供する。
【００１６】
前記ベース部材は、複数の鍵盤を一体化するものとして機能し、板状に形成する他、周囲又は前後に枠を設けた箱状に形成することができる。かかるベース部材は、鍵盤よりもやや大きく、即ち、鍵盤がベース部材内に収まる大きさに形成することが望ましい。鍵盤が脱離するおそれを無くすと共に、当該鍵盤楽器の打鍵練習具の安定性を高める為である。また、当該ベース部材には、鍵盤を一定の高さに保持すると共に、押下する前の鍵盤を水平に保つことができるように、当該ベース部材の前後方向に嵩上げ部を形成するのが望ましい。当該前後の嵩上げ部の高さは、鍵盤の下面の形状に応じて適宜調整することができ、少なくとも押下する前の鍵盤を水平に保つような高さに調整されるのが望ましい。
【００１７】
かかるベース部材には、その長さ方向に鍵盤を並列配置し、恰も実際のピアノと同じように形成する。但し、鍵盤の数は、必ずしも実際のピアノと同じ数である必要はなく、実際のピアノよりも少なく形成することもできる。また当該ベース部材に配置する鍵盤の幅や配置間隔は、実際のピアノと同じようにするのが望ましい。本発明にかかる鍵盤構造を使用した鍵盤楽器の打鍵練習具により、実際の演奏に使用するピアノと同じ感覚で練習できるようにするためである。また当該鍵盤を構成する材質などは、実際のピアノと同じものを使用することが望ましい。タッチした時の手触り感も実際のピアノと同じようにするためである。よって、本発明にかかる鍵盤構造に使用する鍵盤は、実際のピアノに使用されている鍵盤、又はこれを加工したものを使用することができる。
【００１８】
上記ベース部材に対する鍵盤の設置は、少なくとも当該鍵盤の先端部（使用者の手前側）が、上下方向に揺動できるように設置されることが望ましい。そのために、当該鍵盤の奥側に存在する基端部を、前記ベース部材に軸支することが望ましい。例えばベース部材の奥側に、揺動軸を立設すると共に、鍵盤の基端側に長さ方向に長尺な貫通孔を設けて、当該貫通孔内に揺動軸を内挿することができる。またベース部材の奥側に支柱を立設すると共に、当該支柱に鍵盤の基端側を上下揺動自在に軸支しても良い。
【００１９】
上記ベース部材に軸支された鍵盤は、その先端側（使用者の手前側）が上方に向かって、即ちベース部材と鍵盤との距離が開く向きに付勢される。即ち、鍵盤において軸支された部分よりも奥側を下方に付勢する他、当該軸支された部分よりも先端側（手前側）を上方に付勢することによっても行う事ができる。特に、鍵盤において軸支された部分よりも奥側を下方に付勢する場合には、金属バネやゴムなどの弾性部材によって下向きに付勢する他、所定の質量を有する重りによって下向きに付勢することもできる。また軸支された部分よりも先端側（手前側）を上方に付勢する場合には、金属バネやゴムなどの弾性部材を、各鍵盤とベース部材との間であって、且つ軸支した部位よりも前方に設けることができる。かかる鍵盤の先端側（手前側）を上向きに付勢する力は、押鍵時の力が実際のピアノと同じになるように調整されるのが望ましい。
【００２０】
そして鍵盤の先端側（手前側）を上向きに付勢する付勢手段（弾性部材や重り）は、練習者が実際に使用するピアノの打鍵時のタッチ感に合わせて、適宜調整できることが望ましい。よって、当該付勢手段は、簡易且つ任意に変更できるように構成されることが望ましい。
【００２１】
以上のように構成された鍵盤構造を採用した鍵盤楽器の打鍵練習具や電子鍵盤楽器によれば、練習者又は演奏者の都合に合わせて、任意に打鍵時のタッチ感を調整することができ、かつ簡易な構成により、部品点数を大幅に減じる事ができる。
【００２２】
また、上記本発明において、前記付勢手段が各鍵盤とベース部材との間であって、且つ軸支した部位よりも前方に設置する弾性部材の場合、当該弾性部材として鍵盤を上向きに付勢するトーションバネを使用することができる。この時、鍵盤の下面には、傾斜面を設け、当該トーションバネの一方のアームは、前記ベース部材に固定されると共に、他方のアームは前記傾斜面を滑動自在に設けることができる。トーションバネを使用して、その一方のアームが傾斜面を滑動するようにして鍵盤を上向きに付勢することにより、当該傾斜角や形状、或いは使用するトーションバネの弾性を調整することにより、鍵盤のタッチ感を任意に調整することができる。特に、これら傾斜面の角度や形状、或いはトーションバネの弾性を調整を調整することにより、鍵盤を押し下げた時の鍵盤重量であるダウンウェイトと、鍵盤が上昇し始める時の鍵盤重量であるアップウェイトとを調整することができ、ことによりピアノと同様のタッチ感を実現することができる。
【００２３】
そして、上記の様にトーションバネを使用する場合、鍵盤の下面に設けた傾斜面には、前記トーションバネのアームを案内する溝（以下「案内溝」とする）を形成し、トーションバネのコイル部分は前記ベース部材に軸支することが望ましい。傾斜面に案内溝を形成することにより、アーム部分を任意の方向、多くの場合は傾斜方向に直線状に円滑に案内することができる。またコイル部分は前記ベース部材に軸支することにより、当該トーションバネの脱落を阻止することができる。なお、当該トーションバネの設置に際しては、前記ベース部材に逆向き「Ｌ」字状の支持具を設け、当該支持具の直線部分にトーションバネのコイル部分を外挿することにより、当該トーションバネが任意に着脱自在となり、これにより鍵盤の押鍵時のタッチ感を任意に調整することができる。
【００２４】
また、前記鍵盤の下面の前方側には、鍵盤の長さ方向に長尺な穴からなるガイド穴を形成すると共に、前記ベース部材には各鍵盤のガイド穴に内挿されるガイド軸を立設することが望ましい。ガイド穴とガイド軸との構成により、鍵盤の揺動方向を上下方向に特定し、左右方向へのブレを阻止することができる。
【００２５】
また、弾性部材（付勢手段）としてトーションバネを使用し、鍵盤の下に傾斜面を形成する場合には、当該傾斜面は、傾斜角度が異なる２つ以上の傾斜部によって形成することも望ましい。当該傾斜面の傾斜角度を異ならせることにより、揺動範囲において異なるタッチ感を実現し、実際のピアノの打鍵時の感覚により近づけることができる為である。例えば、鍵盤の下面に設けられた傾斜面は、下方よりも上方の傾斜角度が大きく形成されており、当該傾斜面の上方の傾斜角度は、鍵盤の上面に対して４０〜５０°とすることができる。かかる構成により、打鍵時における最初の段階では鍵盤のタッチが重くなり、下方向に打鍵した時に当該タッチが軽くなって、恰も鍵盤を上向きに付勢している力が抜けるような感覚を実現することができる。
【００２６】
更に、押鍵時において、鍵盤を押し下げる力、及び鍵盤が上向きに戻る力を調整する為に、前記鍵盤を軸支した部位の前後双方に付勢手段を設けることができる。例えば、鍵盤において軸支された部分よりも先端側（手前側）に上向きに付勢する弾性部材を設け、且つ軸支された部分よりも奥側に上向きに付勢する弾性部材を設け、鍵盤が戻る時の力を調整することもできる。
【００２７】
また、打鍵時において鍵盤の下面がベース部材に当たる時の感覚を、より実際のピアノと同じようにするべく、前記ベース部材上には、押下された鍵盤の下面を支持する緩衝部材を設ける事が望ましい。かかる緩衝部材は、衝撃を吸収しながらも弾性が低い材料であることが望ましく、例えばフェルト等の布帛や獣毛等を使用することができる。かかる緩衝部材を設けることにより、鍵盤を押下した時の衝撃を和らげ、恰も実際のピアノを演奏しているかのような感覚を実現することができる。
【００２８】
そして上記本発明にかかる鍵盤構造では、更に、前記鍵盤の上方への回動を規制して当該鍵盤の揺動幅を規制する揺動幅規制部材を設けることができる。かかる揺動幅規制部材は、軸支された鍵盤の軸支部分よりも前方上面を支持するか、或いは当該鍵盤の軸支部分よりも後方下面を支持するように形成することができる。また、当該鍵盤の後端に後方に突出する突起を設け、当該突起を支持するように形成したり、鍵盤の側面や後端面に上下方向に長い穴を形成し、この穴内に軸部材を挿入したりして揺動幅を規制することができる。
【発明の効果】
【００２９】
上記本発明にかかる鍵盤構造によれば、打弦音を発生することなく演奏の練習をすることのできる鍵盤楽器の練習器具であって、簡易な構成とすることにより部品点数を大幅に削減し、しかもアコースティックピアノと同等の打鍵感覚を得ることのできる打鍵練習具、及びアコースティックピアノと同じようなタッチ感が得られる電子鍵盤楽器を提供することができる。
【００３０】
また、メーカーごと、或いは製品や製造年式ごと、更には使用頻度やメンテナンス状況などにより異なる打鍵時の感覚（タッチ感など）を、練習者が実際に使用するピアノに合わせて任意に調整する事ができ、更に当該打鍵時におけるタッチ感を簡易な方法で行う事のできる打鍵練習具を提供することができる。
【００３１】
そして、上記本発明にかかる鍵盤構造の構成を使用して、電子ピアノ、キーボード、オルガン或いはエレクトーン等の電子鍵盤楽器を製造することにより、アコースティックピアノと同様のタッチ感が得られる電子鍵盤楽器を提供することができる。
【図面の簡単な説明】
【００３２】
【図１】本実施の形態にかかる鍵盤構造を用いて形成した鍵盤楽器の打鍵練習具を示す斜視図である。
【図２】第１の実施の形態にかかる鍵盤構造を示す断面図であり、（Ａ）は押鍵前の状態を、（Ｂ）は鍵盤を押下した状態をそれぞれ示している。
【図３】トーションバネをベース部材に設置する構造を示す略図である。
【図４】傾斜面に形成した溝を示す腰部拡大図である。
【図５】鍵盤の上方への回動を規制して当該鍵盤の揺動幅を規制する揺動幅規制部材の例を示す（Ａ１〜３）腰部断面図、（Ｂ１〜３）背面図を示している。
【図６】第２の実施の形態にかかる鍵盤構造を示す断面図であり、（Ａ）は押鍵前の状態を、（Ｂ）は鍵盤を押下した状態をそれぞれ示している。
【図７】第３の実施の形態にかかる鍵盤構造を示す断面図であり、（Ａ）は押鍵前の状態を、（Ｂ）は鍵盤を押下した状態をそれぞれ示している。
【図８】第４の実施の形態にかかる鍵盤構造を示す断面図であり、（Ａ）は押鍵前の状態を、（Ｂ）は鍵盤を押下した状態をそれぞれ示している。
【図９】第５の実施の形態にかかる鍵盤構造を示す断面図であり、（Ａ）は押鍵前の状態を、（Ｂ）は鍵盤を押下した状態をそれぞれ示している。
【発明を実施するための形態】
【００３３】
以下、図面を参照しながら、本実施の形態にかかる鍵盤構造と、これを使用した鍵盤楽器の打鍵練習具５５を具体的に説明する。
【００３４】
図１は、本実施の形態にかかる鍵盤構造を用いて形成した鍵盤楽器の打鍵練習具を示す斜視図であり、当該鍵盤楽器の打鍵練習具は、底面及び周面を包囲するベース部材１０と、当該ベース部材１０の長さ方向に整列された複数の鍵盤２０とで構成されている。かかる鍵盤２０の配置は、本実施の形態では、通常使用されているピアノと同じように、黒鍵及び白鍵からなる複数の鍵盤２０が配置されている。またベース部材１０は、本実施の形態では底面のみならず、前面、後面、及び両側面を包囲するように構成されている。このように包囲することで、内部構造を露出させることなく、全体意匠を向上させることができる。また当該ベース部材１０は、少なくとも何れかの面を着脱自在に設ける事が望ましい。後述するように、付勢部材として使用するトーションバネ３０を交換する際、当該交換作業を簡易に行う事ができるようにするためである。
【００３５】
次に、図２〜９を参照しながら、前記ベース部材１０に揺動自在に設置される各鍵盤２０を具体的に説明する。
【００３６】
図２は第１の実施の形態にかかる鍵盤構造を示す断面図であり、（Ａ）は押鍵前の状態を、（Ｂ）は鍵盤２０を押下した状態をそれぞれ示している。この実施の形態にかかる鍵盤２０は、ベース部材１０の後端側に揺動軸１１を立設させると共に、当該ベース部材１０の前方側（使用者の手前側）には、鍵盤２０の上下揺動に際して横方向への移動を阻止するガイド軸１２を立設させている。そして揺動軸１１には、フェルトその他の布帛を用いてワッシャー状に形成した緩衝部材１３を設置すると共に、前記ガイド軸１２にも同じくフェルトその他の布帛を用いてワッシャー状に形成した緩衝部材１３を設置している。かかる緩衝部材１３は、ベース部材１０と鍵盤２０との間における衝撃を緩衝すれば良く、よってワッシャー状に限らず、その他の形状であってもよい。更に、緩衝軸やガイド軸１２を貫通させて配置する必要はなく、ベース部材１０と鍵盤２０との間であって、両者が接する箇所に設置されていれば良い。
【００３７】
以上のように形成されたベース部材１０上には、鍵盤２０が設置される。当該鍵盤２０は、後端側に厚さ方向に貫通する貫通孔２１を有し、また前方側には厚さ方向に刳り抜かれたガイド穴２２が形成されており、前記揺動軸１１が貫通孔２１を通り、且つ前記ガイド軸１２がガイド穴２２に挿入されるように設置される。これら貫通孔２１及びガイド穴２２は、それぞれ揺動軸１１及びガイド軸１２の幅と同じか僅かに大きく形成されている。その結果、鍵盤２０の上下揺動に際して、横方向（鍵盤２０の幅方向）への移動を阻止することができる。なお、当該貫通孔２１及びガイド穴２２内には、各軸との摩擦を減じ、円滑に摺動することができるようにフェルトその他の布帛を設ける事が望ましい。
【００３８】
そして当該鍵盤２０は、その下面に傾斜面２３を備えている。当該傾斜面２３は、本実施の形態では鍵盤２０と一体状に形成しているが、当該傾斜面２３を有する部材を別部材とし、鍵盤２０の下面に設置することもできる。特に当該傾斜面２３を有する部材を鍵盤２０の下面に着脱自在に設置した場合には、当該部材を任意に交換することができ、これにより押鍵時の感覚を変更することもできる。
【００３９】
上記傾斜面２３には、ベース部材１０に一方のアーム３１を当接させたトーションバネ３０の、他方のアーム３２を摺動自在に設ける。かかるトーションバネ３０の当該他方のアーム３２は、その先端を傾斜面２３に向かって膨らむように湾曲させており、これにより当該傾斜面２３を円滑に摺動することができる。また、傾斜面２３とトーションバネ３０の他方のアーム３２との間における摩擦抵抗は、直接的に鍵盤２０のタッチ感に影響を与える。よって、望ましくは、当該傾斜面２３は木やコルク等の天然樹脂で形成する事が望ましい。但し、一定の摩擦係数及び摩耗耐久性を有する限りにおいて、粗面加工などの表面加工を施した金属、ガラス、セラミック、合成樹脂などで傾斜面を形成することもできる。
【００４０】
なお図２に示す実施の形態では、傾斜面２３は、鍵盤の後端側に向かう傾斜面２３として形成しているが、鍵盤の前方を向く傾斜面２３として形成し、弾性部材であるトーションバネ３０を、図２とは前後逆向きに設置することもできる。
【００４１】
図３は、上記トーションバネ３０をベース部材１０に設置する構造を示す略図である。この図に示す様に、ベース部材１０の上に逆向き「Ｌ」字状の支持具１４を設け、この支持具１４にトーションバネ３０のコイル部分３３を外挿することが望ましい。このように形成することで、当該トーションバネ３０を簡易に取り外すことができ、バネの弾性が劣化した場合の交換、又はバネ係数の異なるトーションバネ３０への変更などを容易に行う事ができる。
【００４２】
図４は、前記傾斜面２３に形成した溝２４を示す腰部拡大図である。この溝２４はトーションバネ３０のアーム３２を案内する為の溝２４であり、トーションバネ３０における前記他方のアーム３２がこの溝２４内を直線状に移動することができる。なお、この溝２４は、傾斜面２３の幅方向に曲折させることもでき、この場合には、溝２４の曲折度合いに応じて鍵盤２０の押下時におけるトーションバネ３０に対する力を変化させることができ、よって押鍵時におけるタッチ感を変化させることができる。また、この溝２４は、その深さを長さ方向にわたって変えることができ、この場合でもトーションバネ３０に対する力を変化させて、押鍵時におけるタッチ感を変化させることができる。
【００４３】
図５は、鍵盤２０の上方への回動を規制して当該鍵盤２０の揺動幅を規制する揺動幅規制部材４０の例を示す（Ａ１〜３）腰部断面図、（Ｂ１〜３）背面図を示している。かかる揺動幅規制部材４０は、本実施の形態では、ベース部材１０に立設した逆向き「Ｌ」字状の支柱４１と、この支柱４１の水平部４２に設置されるネジ部材４３とで構成されており、これは鍵盤２０を軸支する部分（揺動軸１１と貫通孔２１との係合部分）よりも前方に設けられている。かかるネジ部材４３は、当該水平部４２を上下方向に移動可能であり、その結果、当該ネジ部材４３の下端に設けられた支持部４４が、上下方向に移動する。その結果、鍵盤２０が水平な状態（Ａ１）（Ｂ１）よりも、ネジ部材４３を上方に移動させた場合には、鍵盤２０の前方は上方に持ち上げられて、鍵盤２０は後端側に傾斜する向きとなり、揺動幅が大きくなる。一方で鍵盤２０が水平な状態（Ａ１）（Ｂ１）よりも、ネジ部材４３を下方にねじ込んだ場合には、鍵盤２０の前方は下方に押し下げられて、鍵盤２０は前方側に傾斜する向きとなり、揺動幅が小さくなる。よって、この揺動幅規制部材４０を設けることで、揺動幅のみならず、鍵盤２０の傾斜角度を調整することもできる。
【００４４】
以上のように構成された鍵盤構造によれば、鍵盤２０を押下することにより、図２（Ｂ）に示す様に、トーションバネ３０が傾斜面２３を滑動し、このトーションバネ３０の弾性により押鍵時の感覚（タッチ感など）を付与することができる。
【００４５】
次に、図６〜９を参照しながら、他の実施の形態にかかる鍵盤構造の例を説明する。なお、以下の実施の形態において、作用上同様の構成については、同じ記号を付して詳細な説明を省略する。
【００４６】
図６は、第２の実施の形態にかかる鍵盤構造を示す断面図であり、（Ａ）は押鍵前の状態を、（Ｂ）は鍵盤２０を押下した状態をそれぞれ示している。この実施の形態に示す鍵盤構造は、特に傾斜面２３を湾曲するように、更には外側に膨らむように湾曲させて形成しており、その結果、傾斜面２３の下端よりも鍵盤２０の裏面に向かって傾斜が徐々に大きくなるように湾曲している。このように傾斜面２３を形成することで、図６（Ｂ）に示す様に鍵盤２０を押下した際には、徐々に鍵盤２０を押す力が軽くなり、下まで押し下げた状態においては、恰も負荷がかかっていないかの如く、即ち鍵盤２０を押し戻す力が抜けたようにする事ができる。また、この第二の実施の形態では、傾斜面２３を前方に向かうように形成している。このように形成することで、鍵盤２０の揺動に際しての円弧運動に沿うように、前記トーションバネ３０のアーム３２が、傾斜面２３（湾曲面）を滑動することができる。
【００４７】
図７は、第３の実施の形態にかかる鍵盤構造を示す断面図であり、（Ａ）は押鍵前の状態を、（Ｂ）は鍵盤２０を押下した状態をそれぞれ示している。この実施の形態に示す鍵盤構造は、特に傾斜面２３を異なる角度で形成しており、特に傾斜面２３の下方の傾斜角度（β）よりも、鍵盤２０の裏面に近い上方の傾斜角度（α）が大きくなるように形成されている。このように形成することで、鍵盤２０を押下した時のタッチ感を二段階に変化させることができ、傾斜角度を大きくすることにより、より軽いタッチ感とし、傾斜角度を小さくすることにより、より重いタッチ感を再現することができる。よって、この第３の実施の形態にかかる鍵盤構造によれば、鍵盤２０を押し下げた当初は重いタッチ感であり、一定の所まで押し下げた段階で軽いタッチ感となるようにする事ができる。なお、当該傾斜面２３の上方の傾斜角度（α）は、鍵盤２０の上面に対して４０〜５０°、望ましくは約４５°とする。これにより、実際のピアノのタッチ感に近づけることができる。
【００４８】
図８は、第４の実施の形態にかかる鍵盤構造を示す断面図であり、（Ａ）は押鍵前の状態を、（Ｂ）は鍵盤２０を押下した状態をそれぞれ示している。この実施の形態に示す鍵盤構造は、傾斜部に窪みを設けて、当該窪み近傍で傾斜角度を変えた例を示している。このように傾斜面２３に窪みを形成した場合には、鍵盤２０の押下によってトーションバネ３０のアーム３２が傾斜面２３を滑動する際、当該アーム３２は窪み５１に引っ掛かり、その結果、鍵盤２０を押し下げた時に、僅かな引っ掛かりがあるかのような感覚を再現することができ、恰もグランドピアノにおいてハンマーが打弦したかのような感覚を再現することができる。なお、この実施の形態においても、傾斜面２３を前向きに形成している。
【００４９】
図９は、第５の実施の形態にかかる鍵盤構造を示す断面図であり、（Ａ）は押鍵前の状態を、（Ｂ）は鍵盤２０を押下した状態をそれぞれ示している。この実施の形態に示す鍵盤構造は、鍵盤２０を軸支する部分（揺動軸１１と貫通孔２１との係合部分）の前方と後方（後端側）の両方に付勢手段（弾性部材）を設けた例を示している。即ち、鍵盤２０を軸支する部分よりも前方には、前記図２に示した傾斜面２３とトーションバネ３０を設置しており、これらによって鍵盤２０の前方を上向きに付勢している。一方で、鍵盤２０を軸支する部分よりも後方にはベース部材１０と鍵盤２０の後端との間に弦巻バネ５２を設置しており、これにより鍵盤２０の前方を下向きに付勢するようにしている。その結果、鍵盤２０を押下する時の力加減（タッチ感）を２つのバネで調整することができ、よりきめ細かく、タッチ感を調整することができる。
【００５０】
なお、この第５の実施の形態に関連して、鍵盤２０を軸支する部分よりも前方には、鍵盤２０の前方を上向きに付勢する第一の付勢手段を設け、鍵盤２０を軸支する部分よりも後方にも、鍵盤２０の前方を上向きに付勢する第二の付勢手段を設けることもできる。この場合には、第二の付勢手段で常に一定の力で鍵盤２０を上方に付勢し、第一の付勢手段では、鍵盤２０を一定の範囲まで押し下げた時に上向きに押し上げるような力が発現するように構成することもできる。
【００５１】
そして上記のように構成された鍵盤構造は、図１に示したような鍵盤楽器の打鍵練習具の鍵盤構造として採用する他、電子ピアノ、キーボード、オルガン、エレクトーンなどの電子鍵盤楽器の鍵盤構造として採用することができる。
【００５２】
かかる電子鍵盤楽器とピアノとのタッチ上での大きな違いは鍵盤２０重量にあり、それはダウンウェイト、アップウェイトの差により生まれる。例えば５０ｇの重さを掛けた時に下降する鍵盤２０において、２０ｇまで重さを軽くすると上昇し始めると言うように、ピアノと同様のタッチ感を再現する上では、このダウンウェイト、アップウェイトの差が重要になる。この点、実際のピアノ（アコースティックピアノ）では、各構成部（アクション部分）の摩擦抵抗によって生じるが、オルガンや従来の電子鍵盤楽器などではピアノの様なアクション機構が無い為に下降上昇の重さ（ダウンウェイトとアップウェイト）に余り差が無く、これがピアノとの違和感を生じさせる原因となっていた。そこでこのダウンウェイト、アップウェイトの差を調整する為に、鍵盤２０の下面に傾斜を作り、テンションバネなどの弾性部材で上向きに付勢するようにしている。
【００５３】
上記本実施の形態では、本発明にかかる鍵盤構造の幾つかの実施の形態を示したが、その他の有利な構造も任意に採用することができ、本発明の要旨を逸脱しない範囲において、適宜改良することができる。
【産業上の利用可能性】
【００５４】
上記本発明にかかる鍵盤構造は、鍵盤楽器の打鍵練習具や、電子鍵盤楽器の鍵盤として実用化することができ、その他にもアコースティックピアノにおける鍵盤のタッチ感を再現する、様々な用途で利用することができる。
【符号の説明】
【００５５】
１０：ベース部材，  １１：揺動軸，  １２：ガイド軸，  １３：緩衝部材，  １４：支持具，  ２０：鍵盤，  ２１：貫通孔，  ２２：ガイド穴，  ２３：傾斜面，  ２４：溝，  ３０：トーションバネ，  ３１，３２：アーム，  ３３：コイル部分，  ４０：揺動幅規制部材，  ４１：支柱，  ４２：水平部，  ４３：ネジ部材，  ４４：支持部，  ５２：弦巻バネ
【図１】
2014235349.tif 000003
【図２】
2014235349.tif 000004
【図３】
2014235349.tif 000005
【図４】
2014235349.tif 000006
【図５】
2014235349.tif 000007
【図６】
2014235349.tif 000008
【図７】
2014235349.tif 000009
【図８】
2014235349.tif 000010
【図９】
2014235349.tif 000011